(57)【要約】      （修正有）【課題】トレーニング効果と、速やかに取り外したり組み立てたりできることを兼ねるローラートレーニング器具を提供する。【解決手段】ローラートレーニング器具は、軸体１０の表面に対称的に右ねじ山部１１と左ねじ山部１２が形成される。また該右ねじ山部１１と左ねじ山部１２の間に軸部１０１が形成され、該軸体１０の両端にそれぞれ連結部１４が設けられる。そして該連結部１４の両末端にそれぞれ嵌めリング１３とカバー体１５が取り付けられる。少なくとも一つのローラー２０が該軸体１０の軸部１０１に固定される。両握り部材３０の内壁面に内ねじ山部３２が形成され、また該握り部材３０は該軸体１０に取り付けられ、該内ねじ山部３２が該右ねじ山部１１と左ねじ山部１２に噛み合わせられる。両握り部材３０はそれぞれ連接リング３３が形成され、また該連接リング３３と嵌めリング１３の間に少なくとも一つの弾性部材３４が連結される。【選択図】図２
0003210130.tif 000002
【実用新案登録請求の範囲】
【請求項１】
軸体と、少なくとも一つのローラーと、二つの握り部材とを含むローラートレーニング器具であって、
上記軸体は、表面に対称的に右ねじ山部と左ねじ山部が形成され、また上記右ねじ山部と上記左ねじ山部の間に軸部が形成され、上記軸体の両端にそれぞれ連結部が設けられ、そして上記連結部にそれぞれ嵌めリングが取り付けられ、上記連結部の両末端にはそれぞれカバー体が取り付けられ、さらに上記カバー体が上記嵌めリングを阻止して位置限定効果を奏し、
少なくとも一つのローラーは、中央に軸穴が設けられ、また上記ローラーは軸穴によって上記軸体の軸部に固定され、
二つの握り部材は、それぞれ穿孔が開けられ、そして上記穿孔の内壁面に内ねじ山部が形成され、また上記握り部材はそれぞれ穿孔によって上記軸体の右ねじ山部と左ねじ山部に取り付けられることで、上記内ねじ山部が上記右ねじ山部と左ねじ山部に噛み合わせられ、両握り部材はカバー体に向かってそれぞれ連接リングが形成され、また上記連接リングと嵌めリングの間に少なくとも一つの弾性部材が連結され、ローラーが前後に回転する時、上記握り部材は全て右ねじ山部と左ねじ山部に沿って同時に内移動と外移動の動作が生じ、さらに弾性部材によって握り部材間で嵌めリング側に向かう慣性引張力が形成されるため、ローラー運動によるトレーニング効果が強化されることを特徴とするローラートレーニング器具。
【請求項２】
上記軸体は連結部の内側にＵ型弾性板が設けられ、また上記Ｕ型弾性板の両端にそれぞれ突起部が設けられ、上記カバー体に両貫通孔が開けられ、上記突起部が連結部と貫通孔を突き抜いたことで上記カバー体と上記軸体が速やかに取り外され固定されることを特徴とする請求項１のローラートレーニング器具。
【請求項３】
上記ローラーは複数のボルトによって上記軸体の軸部に締め付けられることを特徴とする請求項１のローラートレーニング器具。
【請求項４】
上記軸体はローラーの相対する外側にそれぞれ位置限定部材が取り付けられ、また上記位置限定部材にはローラー側に向かって複数の位置限定溝があり、さらに上記ローラーは軸穴側より外に向かって放射線状に複数のリブが形成され、上記位置限定部材は位置限定溝によって上記ローラーのリブに取り付けられ、そして上記ボルトと合わせて同時に位置限定部材を締め付けることで上記ローラーと軸体の固定効果が高められることを特徴とする請求項３のローラートレーニング器具。
【請求項５】
上記軸部は取り外し可能であり上記軸体が二分でき、また上記軸部の内部に全てＵ型弾性板が設けられ、また上記Ｕ型弾性板の両端にそれぞれ突起部が設けられ、上記ローラーは軸穴の両端にそれぞれ二つの固定穴が貫通され、また上記突起部が軸部と固定穴より突き出されることで上記ローラーと両軸体が速やかに取り外され固定されることを特徴とする請求項１のローラートレーニング器具。
【請求項６】
上記カバー体には連結穴が設けられ、そして上記連結穴によって二本の弾性縄が連結され、両弾性縄にシート体が連結され、上記シート体が上記弾性縄と合わせることによってローラーを戻す補助効果が形成されることを特徴とする請求項１のローラートレーニング器具。
【請求項７】
上記嵌めリングと連接リングは全て放射線状に複数の切開溝が設けられ、また上記切開溝の底部にタンデム接続穴が形成され、上記切開溝に弾性部材が入れられ、そして弾性部材が上記タンデム接続穴に位置限定されることを特徴とする請求項１のローラートレーニング器具。
【請求項８】
上記嵌めリングと連接リングは全て複数のタンデム接続穴が貫通され、また該タンデム接続穴が弾性部材の嵌め込み連結に提供されることを特徴とする請求項１のローラートレーニング器具。
【請求項９】
上記弾性部材はゴム弾力リング、伸縮バネまたは弾性縄であることを特徴とする請求項７または請求項８のローラートレーニング器具。
【請求項１０】
上記嵌めリングと連接リングの周縁共に複数のロック穴が設けられ、また上記嵌めリングと連接リングに対応してそれぞれシェルカバーが取り付けられ、上記シェルカバーは等しい数量のねじによって上記ロック穴に締め付けられることで上記シェルカバーによって上記弾性部材が阻止され、遮蔽されることを特徴とする請求項１のローラートレーニング器具。
【考案の詳細な説明】
【技術分野】
【０００１】
本考案は小型のトレーニング器具に関し、特にトレーニング効果と、速やかに取り外したり組み立てたりできることを兼ねるローラートレーニング器具に関する。
【背景技術】
【０００２】
従来のローラートレーニング器具の構造は図１５に示されるように、該ローラートレーニング器具は軸体と二つのローラーを含む。該ローラーは該軸体の両端に組み立てられ、それにナットがローラーの外側に取り付けられることで枢設が形成される。また、該軸体は両ローラーの内側に二つの粗面が加工され、該粗面は使用者が両手で持つために提供される。使用者が両手で軸体を上げ下げしてローラーの回転に合わせるとトレーニングの目的が達成できる。しかし、上述の従来構造において不足する部分があることはわかりやすく、主な原因は以下である。（一）該ローラートレーニング器具はローラーが前後に回転する機能しかなく、運動する際は手が一定の幅を保って該粗面を持つため、運動の変化性とトレーニングの強度を有効に向上できず、トレーニング運動が単調となり、トレーニング効果も不足する。（二）該ローラーはナットの締め付けによって該軸体の両端に位置限定され、ローラーは軸体に対して回転する必要があるため、ローラーと軸体の間の隙間は精密に制御する必要がある。その安定性を求めるため、該ナットは非必要時に取り外されることを推奨されない。それにナットの取り外しはとても面倒であるため、従来のローラートレーニング器具は取り外しにくく、携帯と収納の機能に欠ける。
【０００３】
従って、本考案者は長年にわたって関係商品の製造開発と設計に携わった経験により、上述の目標について緻密に設計かつ慎重に検討した結果、実用性に満ちた本考案を得た。
【考案の概要】
【考案が解決しようとする課題】
【０００４】
本考案が解決しようとする課題は現在の技術における上述の欠点を解決し、ローラートレーニング器具を提供する。
【課題を解決するための手段】
【０００５】
本考案のローラートレーニング器具は軸体の表面に対称的に右ねじ山部と左ねじ山部が形成される。また該右ねじ山部と左ねじ山部の間に軸部が形成され、該軸体の両端にそれぞれ連結部が設けられる。そして該連結部にそれぞれ嵌めリングが取り付けられ、該連結部の両末端にはそれぞれカバー体が取り付けられる。さらに該カバー体は該嵌めリングを阻止して位置を限定する効果を奏する。少なくとも一つのローラーは中央に軸穴が設けられ、また該ローラーは軸穴によって該軸体の軸部に固定される。両握り部材はそれぞれ穿孔が開けられ、そして穿孔の内壁面に内ねじ山部が形成され、また該握り部材はそれぞれ穿孔によって該軸体の右ねじ山部と左ねじ山部に取り付けられることで、該内ねじ山部が該右ねじ山部と左ねじ山部に噛み合わせられ、両握り部材はカバー体に向かってそれぞれ連接リングが形成され、また該連接リングと嵌めリングの間に少なくとも一つの弾性部材が連結される。
【０００６】
該軸体は連結部の内側にＵ型弾性板が設けられ、また該Ｕ型弾性板の両端にそれぞれ突起部が設けられる。該カバー体に両貫通孔が開けられ、また該突起部が連結部と貫通孔を突き抜いたことで該カバー体と該軸体が速やかに取り外され固定される。
【０００７】
該ローラーは複数のボルトによって該軸体の軸部に締め付けられる。
【０００８】
該軸体はローラーの相対する外側にそれぞれ位置限定部材が取り付けられ、また該位置限定部材には該ローラー側に向かって複数の位置限定溝がある。さらに該ローラーは軸穴側より外に向かって放射線状に複数のリブが形成され、該位置限定部材は位置限定溝によって該ローラーのリブに取り付けられ、それから該ボルトと合わせて同時に位置限定部材を締め付けることで該ローラーと軸体の固定効果が高められる。
【０００９】
該軸部は取り外し可能であり、該軸体は二分でき、また該軸部の内部に全てＵ型弾性板が設けられ、そして該Ｕ型弾性板の両端にそれぞれ突起部が設けられる。該ローラーは軸穴の両端にそれぞれ二つの固定穴が貫通され、また該突起部が軸部と固定穴より突き出されることで該ローラーと両軸体が速やかに取り外され固定される。
【００１０】
該カバー体には連結穴が設けられ、そして該連結穴によって二本の弾性縄が連結される。両弾性縄にシート体が連結され、該シート体が該弾性縄と合わせることによってローラーを戻す補助効果が形成される。
【００１１】
該嵌めリングと連接リングは全て放射線状に複数の切開溝が設けられる。また該切開溝の底部にタンデム接続穴が形成され、該切開溝に弾性部材が入れられ、そして弾性部材が該タンデム接続穴に位置限定される。
【００１２】
該嵌めリングと連接リングは全て複数のタンデム接続穴が貫通され、また該タンデム接続穴が弾性部材の嵌め込み連結に提供される。
【００１３】
該弾性部材はゴム弾力リング、伸縮バネまたは弾性縄である。
【００１４】
該嵌めリングと連接リングの周縁共に複数のロック穴が設けられる。また該嵌めリングと連接リングに対応してそれぞれシェルカバーが取り付けられ、該シェルカバーは等しい数量のねじによって該ロック穴に締め付けられることで該シェルカバーによって該弾性部材が阻止され、遮蔽される。
【００１５】
本考案の第一主な目的は、該軸体は対称的に右ねじ山部と左ねじ山部が形成される。また該握り部材は穿孔の内壁面に内ねじ山部が形成され、内ねじ山部、右ねじ山部と左ねじ山部の噛み合わせ連動によって、ローラーが前に向かって回転する時、該握り部材は右ねじ山部と左ねじ山部に沿ってローラー側へと位置移動する。また、ローラーが後ろに向かって回転する時、該握り部材は右ねじ山部と左ねじ山部に沿ってカバー体側へど位置移動する。該弾性部材の弾性収縮は握り部材が元位置に戻す補助力に形成できるため、使用者はより簡単に回復動作が完成できる。これによって、握り部材の相対する間隔が変えられるだけでなく、前後に回転させてトレーニングする際は両腕を両サイドへ開くトレーニング動作にも兼ねる。また弾性部材を利用して両握り部材を連結させて操作補助の機能が果たされ、トレーニング過程がより面白く、体の多くの部材に対する運動にもなり、有効に運動トレーニングの効果が向上できる。
【００１６】
本考案の第二の主な目的は、該連結部にカバー体が取り付けられ、カバー体の貫通孔が該Ｕ型弾性板の突起部に嵌合できることで軸体両端への阻止となり、握り部材は該ローラーと嵌めリングの間にだけ位置移動できる。これによって、該Ｕ型弾性板の突起部を押さえた時、カバー体が該軸体より外れるため、嵌めリングと握り部材は直接に軸体より取り外せる。また該ローラーもボルトの緩めによって簡単に取り外せることで、十分な操作安定性を備えた上で、組み立てやすく、取り外しやすいという効果を奏する。それ以外にも、携帯または収納しやすいといった実用性の機能も兼ねる。
【図面の簡単な説明】
【００１７】
【図１】図１は、本考案に係るローラートレーニング器具の立体図である。
【図２】図２は、本考案に係るローラートレーニング器具の立体分解図である。
【図３】図３は、本考案に係るローラートレーニング器具の断面図である。
【図４】図４は、本考案の使用状態を示す図（一）である。
【図５】図５は、本考案の使用状態を示す図（二）である。
【図６】図６は、本考案の使用状態を示す図（三）である。
【図７】図７は、本考案の使用状態を示す図（四）である。
【図８】図８は、本考案に係るローラートレーニング器具の第二実施例の立体分解図である。
【図９】図９は、本考案に係るローラートレーニング器具の第二実施例の断面図である。
【図１０】図１０は、本考案に係るローラートレーニング器具の第三実施例を示す図である。
【図１１】図１１は、本考案に係るローラートレーニング器具の第四実施例の立体図である。
【図１２】図１２は、本考案に係るローラートレーニング器具の第五実施例の立体図である。
【図１３】図１３は、本考案に係るローラートレーニング器具の第六実施例の立体分解図である。
【図１４】図１４は、本考案に係るローラートレーニング器具の第六実施例の立体図である。
【図１５】図１５は、従来のローラートレーニング器具を示す図である。
【考案を実施するための形態】
【００１８】
まず、図１と図２に示されるように、ローラートレーニング器具の構造は軸体１０、少なくとも一つのローラー２０と二つの握り部材３０を含む。軸体１０の表面に対称的に右ねじ山部１１と左ねじ山部１２が形成され、また該右ねじ山部１１と左ねじ山部１２の間に軸部１０１が形成される。該軸体１０の両端にそれぞれ連結部１４が設けられる。そして該連結部１４にそれぞれ嵌めリング１３が取り付けられ、また該連結部１４の両末端にはそれぞれカバー体１５が取り付けられる。さらに該カバー体１５が該嵌めリング１３を阻止して位置限定効果を奏する。また該軸体１０は連結部１４の内部にＵ型弾性板１６が設けられ、該Ｕ型弾性板１６の両端にそれぞれ突起部１６１が設けられる。該カバー体１５に両貫通孔１５１が開けられ、該突起部１６１が連結部１４と貫通孔１５１を突き抜いたことで該カバー体１５と該軸体１０が速やかに取り外され固定される。少なくとも一つのローラー２０は中央に軸穴２１が設けられ、また該ローラー２０は軸穴２１によって該軸体１０の軸部１０１に固定される。該ローラー２０は複数のボルト２２によって該軸体１０の軸部１０１に締め付けられる。また該軸体１０はローラー２０の相対する外側にそれぞれ位置限定部材１７が取り付けられ、該位置限定部材１７は該ローラー２０側に向かって複数の位置限定溝１７１がある。該ローラー２０は軸穴２１側より外に向かって放射線状に複数のリブ２３が形成され、該位置限定部材１７は位置限定溝１７１によって該ローラー２０のリブ２３に取り付けられ、そして該ボルト２２と合わせて同時に位置限定部材１７を締め付けることで該ローラー２０と軸体１０の固定効果が高められる。両握り部材３０はそれぞれ穿孔３１が開けられ、そして穿孔３１の内壁面に内ねじ山部３２が形成される。また該握り部材３０はそれぞれ穿孔３１によって該軸体１０の右ねじ山部１１と左ねじ山部１２に取り付けられることで、該内ねじ山部３２が該右ねじ山部１１と左ねじ山部１２に噛み合わせられる。両握り部材３０はカバー体１５に向かってそれぞれ連接リング３３が形成され、また該連接リング３３と嵌めリング１３の間に少なくとも一つの弾性部材３４が連結される。その中、該嵌めリング１３と連接リング３３は全て放射線状に複数の切開溝１３１、３３１が設けられ、また該切開溝１３１、３３１の底部にタンデム接続穴１３２、３３２が形成される。該切開溝１３１、３３１に弾性部材３４が入れられ、そして弾性部材３４が該タンデム接続穴１３２、３３２に位置限定される。該弾性部材３４は弾力リングでも可能で、弾力リングが両握り部材３０の間にある隣同士の四箇所のタンデム接続穴１３２、３３２に巻き付けられる。ローラー２０が前後に回転する時、両握り部材３０は右ねじ山部１１と左ねじ山部１２に沿って同時に内移動と外移動の動作が生じ、弾性部材３４によって握り部材３０間で嵌めリング１３側に向かう慣性引張力が形成されるため、ローラー２０運動によるトレーニング効果が強化できる。
【００１９】
構造の組み立ては引き続き図１、図２、図３を参照されたい。該ローラー２０は軸穴２１によって該軸体１０に嵌め込まれて、そして該軸部１０１に設置される。該ローラー２０の数量は少なくとも一つであり、また該ローラー２０は該軸体１０の中央に設置でき、即ち本考案の等価の設置である。さらに位置限定部材１７を軸体１０に取り付けて、位置限定溝１７１を利用して該ローラー２０のリブ２３と嵌め合わせ、また位置限定部材１７はボルト２２によってローラー２０と締め付けられることで該軸部１０１に圧迫するため、軸体１０とローラー２０が結合固定される。さらに両握り部材３０が穿孔３１によって軸体１０の両端に嵌め込まれ、そして内ねじ山部３２によって該右ねじ山部１１と左ねじ山部１２と噛み合わせる。該握り部材３０の連接リング３３は該連接部１４方向に向かって、さらに連結部１４に該嵌めリング１３が嵌められ、また嵌めリング１３と連接リング３３の間に弾性部材３４が連結される。該弾性部材３４は嵌めリング１３と連接リング３３の切開溝１３１、３３１に入れられることで該タンデム接続穴１３２、３３２に位置限定され、握り部材３０が弾性部材３４の引っ張りによって連結部１４の位置に接近することが維持される。最後に連結部１４にカバー体１５が取り付けられ、カバー体１５の貫通孔１５１が該Ｕ型弾性板１６の突起部１６１に嵌合できることで軸体１０両端への阻止となり、嵌めリング１３が該連結部１４に固定される。また該握り部材３０は該ローラー２０と嵌めリング１３の間にだけ位置移動できる。これによって、該Ｕ型弾性板１６の突起部１６１を押さえた時、カバー体１５が該軸体１０より外れるため、嵌めリング１３と握り部材３０は直接に軸体１０より取り外せる。また該ローラー２０もボルト２２の緩めによって簡単に取り外せることで、十分な操作安定性を備えた上で、組み立てやすく、取り外しやすいという効果を奏する。それ以外にも、携帯または収納しやすいといった実用性の機能も兼ねる。
【００２０】
トレーニングする際については引き続き図２から図７を参照されたい。使用者が両手で該握り部材３０を握って、そして力を加えてローラー２０を平面に回転させることができる。ローラー２０が前後に回転することで手の筋肉に対してトレーニングとなると同時に両足の支えと合わせて肩、腰と両足のトレーニング効果にもなる。注目すべきなのは軸体１０には対称的に右ねじ山部１１と左ねじ山部１２が設けられ、該握り部材３０は穿孔３１の内壁に内ねじ山部３２が形成される。内ねじ山部３２、右ねじ山部１１と左ねじ山部１２との噛み合い連動によって、ローラー２０が前に向かって回転する時、該握り部材３０は両手によってしっかり握られて同時回転しないため、握り部材３０は右ねじ山部１１、左ねじ山部１２に沿ってローラー２０側に向かって位置移動する。同時に該握り部材３０はローラー２０方向に向かって該弾性部材３４を引っ張る。反対に、ローラー２０が後ろに向かって回転する時、該握り部材３０は右ねじ山部１１、左ねじ山部１２に沿ってカバー体１５側に向かって位置移動する。該弾性部材３４の弾性収縮は握り部材３０が元位置に戻す補助力に形成できるため、使用者はより簡単に回復動作が完成できる。これによって、握り部材３０の相対する間隔が変えられ、前後に回転させてトレーニングする際は手が両サイドへ開くトレーニング動作にも兼ねる。また弾性部材３４を利用して両握り部材３０を連接させて操作補助の効果が果たされ、トレーニング過程がより面白く、体の多くの部分に対する運動にもなるため、有効に運動トレーニングの効果が向上できる。
【００２１】
本考案の第二実施例は引き続き図８と図９を参照されたい。該軸部１０１は取り外せる式で該軸体１０が二分でき、また該軸部１０１の内部に全てＵ型弾性板１８が設けられ、該Ｕ型弾性板１８の両端にそれぞれ突起部１８１が設けられる。そして該ローラー２０は軸穴２１の両端にそれぞれ二つの固定穴２４が貫通され、また該突起部１８１が軸部１０１と固定穴２４より突き出されることで該ローラー２０と両軸体１０が速やかに取り外され固定される。これによって、もう一種類のローラー２０を速やかに取り外せる技術方法が提供される。また該軸体１０を分離できるために長さが縮められることで、十分な操作安定性を備えた上で、組み立てやすく、取り外しやすいという効果を奏する。それ以外にも、携帯または収納しやすいといった実用性の機能も兼ねる。本考案の第三実施例については図１０に合わせて図２を参照されたい。該カバー体１５には連結穴１５２が設けられ、そして該連結穴１５２によって二本の弾性縄１５３が連結される。両弾性縄１５３にシート体１９が連結され、使用者が該シート体１９を踏んだり、跪いたりすることができるため、シート体１９側の位置固定が形成される。該ローラー２０を押し出す際は弾性縄１５３の長さに対して引き伸ばしとなり、ローラー２０を元に戻す必要がある際は該弾性縄１５３の弾性を利用すれば、該シート体１９が該弾性縄１５３と合わせることによってローラー２０を戻す補助効果が形成され、もう一種類のトレーニング方式が提供される。
【００２２】
本考案の第四実施例は引き続き図１１を参照されたい。該弾性部材３４は伸縮バネであり、伸縮バネが嵌めリング１３と連接リング３３と相対する二箇所のタンデム接続穴１３２、３３２に引っ掛けられる。本考案の第五実施例については図１２を参照されたい。該嵌めリング１３と該連接リング３３の間に複数のタンデム接続穴１３２、３３２が貫通され、また該タンデム接続穴１３２、３３２が弾性部材３４の連結固定に提供される。そして該弾性部材３４は弾性縄であり、弾性縄によって嵌めリング１３と連接リング３３の間の全てのタンデム接続穴１３２、３３２に巻き付けられる。上述の全ての構造は嵌めリング１３と連接リング３３の間に弾性部材３４が連結される使用目的を果たせるため、本考案の等価の実施方式である。本考案の第六実施例は引き続き図１３と図１４を参照されたい。該嵌めリング１３と連接リング３３の周縁共に複数のロック穴１３３、３３３が設けられる。また該嵌めリング１３と連接リング３３にそれぞれシェルカバー３５、３６が取り付けられ、該シェルカバー３５、３６は等しい数量のねじ３５１、３６１によって該ロック穴１３３、３３３に締め付けられることで該シェルカバー３５、３６によって該弾性部材３４が阻止され、遮蔽される。
以上は、本考案に係る実施例の一部に過ぎないため、本考案の実施範囲を制限するものではない。即ち、本考案の特許請求の範囲内で行われる変化、修飾なども本考案の範囲に属すべきである。
【符号の説明】
【００２３】
１０              軸体
１０１            軸部
１１              右ねじ山部
１２              左ねじ山部
１３              嵌めリング
１３１、３３１    切開溝
１３２、３３２    タンデム接続穴
１３３、３３３    ロック穴
１４              連結部
１５              カバー体
１５１            貫通孔
１５２            連結穴
１５３            弾性縄
１６              Ｕ型弾性板
１６１            突起部
１７              位置限定部材
１７１            位置限定溝
１８              Ｕ型弾性板
１８１            突起部
１９              シート体
２０              ローラー
２１              軸穴
２２              ボルト
２３              リブ
２４              固定穴
３０              握り部材
３１              穿孔
３２              内ねじ山部
３３              連接リング
３４              弾性部材
３５、３６        シェルカバー
３５１、３６１    ねじ
４０              ローラートレーニング器具
４１              軸体
４２              ローラー
４３              ナット
４４              粗面
【図１】
0003210130.tif 000003
【図２】
0003210130.tif 000004
【図３】
0003210130.tif 000005
【図４】
0003210130.tif 000006
【図５】
0003210130.tif 000007
【図６】
0003210130.tif 000008
【図７】
0003210130.tif 000009
【図８】
0003210130.tif 000010
【図９】
0003210130.tif 000011
【図１０】
0003210130.tif 000012
【図１１】
0003210130.tif 000013
【図１２】
0003210130.tif 000014
【図１３】
0003210130.tif 000015
【図１４】
0003210130.tif 000016
【図１５】
0003210130.tif 000017